(57)【要約】      （修正有）【課題】制御機器が、有線ネットワーク機能を備えず無線ネットワーク機能を備えた制御機器であったとしても、制御機器から表示機器の電源制御が行える電源制御システムを提供する。【解決手段】電源制御システムは、再生機器が第２のネットワーク１４０を介して表示機器の電源を制御可能な電源制御手段を備え、表示機器が第２のネットワークを介して制御可能な電源手段を備え、制御機器は、第１のネットワーク１３０に接続された再生機器に対して電源制御命令を送信する電源制御命令手段と、予め制御対象機器として登録された表示機器αと、表示機器αを第２のネットワークを介して電源制御が可能な再生機器βを組で記憶する制御対象機器記憶手段を備えて、第１のネットワークを介して再生機器βに対して電源制御命令を送信することで表示機器αの電源を制御する。【選択図】図１
2011199568.tif 000002
【特許請求の範囲】
【請求項１】
制御機器と、少なくとも１つの表示機器と、少なくとも１つの再生機器とが第１のネットワークで接続され、少なくとも１つの前記表示機器と少なくとも１つの前記再生機器とが第２のネットワークで接続された電源制御システムであって、
前記再生機器は、前記第２のネットワークを介して前記表示機器の電源を制御可能な電源制御手段を備え、
前記表示機器は、前記第２のネットワークを介して制御可能な電源手段を備え、
前記制御機器は、前記第１のネットワークに接続された前記再生機器に対して電源制御命令を送信する電源制御命令手段と、予め制御対象機器として登録された前記表示機器（表示機器αとする）と、前記表示機器αを前記第２のネットワークを介して電源制御が可能な前記再生機器（再生機器βとする）とを組で記憶する制御対象機器記憶手段を備え、
前記制御機器は、前記第１のネットワークを介し、前記再生機器βに対して前記電源制御命令を送信することにより、前記表示機器αの電源を制御することを特徴とする電源制御システム。
【請求項２】
前記表示機器αは、前記第２のネットワークで接続された前記再生機器βに関する情報を記憶する接続機器情報記憶手段をさらに備え、前記制御機器から自機器の電源制御が可能な前記再生機器βに関する情報の問合せがあった場合、前記制御機器に対して前記接続機器情報記憶手段に記憶されている当該情報を通知することを特徴とする請求項１記載の電源制御システム。
【請求項３】
前記再生機器βは、前記第２のネットワークで接続された前記表示機器αに関する情報を記憶する接続機器情報記憶手段をさらに備え、前記制御機器から電源制御が可能な前記表示機器αに関する情報の問合せがあった場合、前記接続機器情報記憶手段に記憶されている当該情報を通知することを特徴とする請求項１記載の電源制御システム。
【請求項４】
前記制御機器は、前記第１のネットワークに接続された機器を検出する機器検出手段をさらに備え、前記機器検出手段が所定の時間内に前記表示機器αを検出できない場合には、前記再生機器βに対して、前記表示機器αの電源制御命令を送信することを特徴とする請求項１乃至３のいずれかに記載の電源制御システム。
【請求項５】
前記制御機器は、前記表示機器αを予め前記制御対象機器として登録する時に、前記機器検出手段により前記第１のネットワーク上で前記表示機器αを探索し、前記表示機器αを前記第２のネットワークを介して電源制御が可能な前記再生機器に関する情報を収集して前記制御対象機器記憶手段に記憶することを特徴とする請求項４に記載の電源制御システム。
【請求項６】
前記制御機器は、前記第１のネットワーク上で前記表示機器αの存在を確認した後、前記再生機器βに対して電源オフあるいは機能オフ命令を送信し、前記再生機器βは、前記制御機器から電源オフ命令あるいは機能オフ命令を受信すると、自機器の電源をオフあるいは機能をオフすることを特徴とする請求項１乃至５のいずれかに記載の電源制御システム。
【請求項７】
前記再生機器は、前記制御機器からの命令の有無に関わらず、前記表示機器αの電源をオンにした後、自機器の電源をオフあるいは機能をオフにすることを特徴とする請求項１乃至５のいずれかに記載の電源制御システム。
【請求項８】
少なくとも１つの表示機器と少なくとも１つの再生機器に第１のネットワークで接続され、第２のネットワークで接続された少なくとも１つの前記表示機器と少なくとも１つの前記再生機器とで電源制御システムを構成する制御機器であって、
前記第２のネットワークを介して前記表示機器の電源を制御可能な電源制御手段を備えた前記再生機器に対して、前記第１のネットワークを介して電源制御命令を送信する電源制御命令手段と、
予め制御対象機器として登録され、前記第２のネットワークを介して制御可能な電源手段を備えた前記表示機器（表示機器αとする）と、前記表示機器αを前記第２のネットワークを介して電源制御が可能な前記再生機器（再生機器βとする）とを組で記憶する制御対象機器記憶手段と、
を備え、前記第１のネットワークを介して前記再生機器βに対して前記電源制御命令を送信することにより、前記表示機器αの電源を制御することを特徴とする制御機器。
【請求項９】
前記第２のネットワークで接続された前記再生機器βに関する情報を記憶する接続機器情報記憶手段をさらに備えた前記表示機器αに対して、自機器の電源制御が可能な前記再生機器βに関する情報を問合せ、前記接続機器情報記憶手段に記憶されている当該情報を取得することを特徴とする請求項８記載の制御機器。
【請求項１０】
前記第２のネットワークで接続された前記表示機器αに関する情報を記憶する接続機器情報記憶手段をさらに備えた前記再生機器βに対して、自機器の電源制御が可能な前記表示機器αに関する情報を問合せ、前記接続機器情報記憶手段に記憶されている当該情報を取得することを特徴とする請求項８記載の制御機器。
【請求項１１】
前記第１のネットワークに接続された機器を検出する機器検出手段をさらに備え、前記機器検出手段が所定の時間内に前記表示機器αを検出できない場合には、前記再生機器βに対して、前記表示機器αの電源制御命令を送信することを特徴とする請求項８乃至１０のいずれかに記載の制御機器。
【請求項１２】
前記表示機器αを予め前記制御対象機器として登録する時に、前記機器検出手段により前記第１のネットワーク上で前記表示機器αを探索し、前記表示機器αを前記第２のネットワークを介して電源制御が可能な前記再生機器に関する情報を収集して前記制御対象機器記憶手段に記憶することを特徴とする請求項１１に記載の制御機器。
【請求項１３】
前記第１のネットワーク上で前記表示機器αの存在を確認した後、前記再生機器βに対して電源オフ命令あるいは機能オフ命令を送信し、前記再生機器βの電源をオフあるいは機能をオフすることを特徴とする請求項８乃至１２のいずれかに記載の制御機器。
【請求項１４】
請求項８〜１３記載の前記制御機器から前記第１のネットワークを介して指示を受け取り、前記制御機器から受け取った指示に基づき、前記第２のネットワークを介して前記表示機器の電源制御を行うことが可能であることを特徴とする再生機器。
【請求項１５】
請求項８〜１３記載の前記制御機器から前記第１のネットワークを介して指示を受け取った前記再生機器により、前記制御機器から受け取った指示に基づいて前記第２のネットワークを介して電源の制御を受けることが可能であることを特徴とする表示機器。
【請求項１６】
制御機器と、少なくとも１つの表示機器と、少なくとも１つの再生機器とが第１のネットワークで接続され、少なくとも１つの前記表示機器と少なくとも１つの前記再生機器とが第２のネットワークで接続された電源制御システムにおける電源制御方法であって、
前記制御機器は、
予め制御対象機器として、前記第２のネットワークを介して制御可能な電源手段を備えた前記表示機器（表示機器αとする）を登録する機器登録ステップと、
前記機器登録ステップにおいて登録された前記表示機器αと、前記第２のネットワークを介して前記表示機器αの電源を制御可能な電源制御手段を備えた前記再生機器（再生機器βとする）とを組で記憶する制御対象機器記憶ステップと、
前記第１のネットワークを介し、前記機器記憶ステップにおいて記憶された前記再生機器βに対して電源制御命令を送信することにより、前記表示機器αの電源を制御する電源制御ステップを、
備えたことを特徴とする電源制御システムにおける電源制御方法。
【請求項１７】
前記制御機器は、前記第２のネットワークで接続された前記再生機器βに関する情報を記憶する接続機器情報記憶手段をさらに備えた前記表示機器αに対して、自機器の電源制御が可能な前記再生機器に関する情報を問合せ、前記接続機器情報記憶手段に記憶されている情報を取得する接続機器情報取得ステップをさらに備えたことを特徴とする請求項１６記載の電源制御システムにおける電源制御方法。
【請求項１８】
前記制御機器は、前記第２のネットワークで接続された前記表示機器αに関する情報を記憶する接続機器情報記憶手段をさらに備えた前記再生機器βに対して、自機器が電源制御を行うことが可能な前記表示機器に関する情報を問合せ、前記接続機器情報記憶手段に記憶されている情報を取得する接続機器情報取得ステップをさらに備えたことを特徴とする請求項１６記載の電源制御システムにおける電源制御方法。
【請求項１９】
前記制御機器は、前記第１のネットワークに接続された機器を検出する機器検出ステップをさらに備え、前記機器検出ステップにおいて所定の時間内に前記表示機器αを検出することができなかった場合には、前記電源制御ステップにおいて、前記再生機器βに対して前記表示機器αの電源制御命令を送信することにより、前記表示機器αの電源を制御することを特徴とする請求項１６乃至１８のいずれかに記載の電源制御システムにおける電源制御方法。
【請求項２０】
前記制御機器は、前記機器登録ステップにおいて前記表示機器αを予め前記制御対象機器として登録する際に、前記機器検出ステップにおいて前記第１のネットワーク上で前記表示機器αを探索し、前記制御対象機器記憶ステップにおいて、前記表示機器αを前記第２のネットワークを介して電源制御が可能な前記再生機器βに関する情報を収集して記憶することを特徴とする請求項１９に記載の電源制御システムにおける電源制御方法。
【請求項２１】
前記制御機器は、前記機器検出ステップにおいて前記第１のネットワーク上で前記表示機器αの存在を確認した後、前記再生機器βに対して電源オフ命令あるいは機能オフ命令を送信し、前記再生機器βの電源をオフあるいは機能をオフする電源オフ命令ステップをさらに備えたことを特徴とする請求項１６乃至２０のいずれかに記載の電源制御システムにおける電源制御方法。
【請求項２２】
前記再生機器βは、前記制御機器からの命令の有無に関わらず、前記表示機器αの電源をオンにした後、自機器の電源をオフあるいは機能をオフにすることを特徴とする請求項１６乃至２０のいずれかに記載の電源制御システムにおける電源制御方法。
【請求項２３】
制御機器と、少なくとも１つの表示機器と、少なくとも１つの再生機器とが第１のネットワークで接続され、少なくとも１つの前記表示機器と少なくとも１つの前記再生機器とが第２のネットワークで接続された電源制御システムにおける電源制御プログラムであって、
前記制御機器は、
予め制御対象機器として、前記第２のネットワークを介して制御可能な電源手段を備えた前記表示機器（表示機器αとする）を登録する機器登録ステップと、
前記機器登録ステップにおいて登録された前記表示機器αと、前記第２のネットワークを介して前記表示機器αの電源を制御可能な電源制御手段を備えた前記再生機器（再生機器βとする）とを組で記憶する制御対象機器記憶ステップと、
前記第１のネットワークを介し、前記機器記憶ステップにおいて記憶された前記再生機器βに対して電源制御命令を送信することにより、前記表示機器αの電源を制御する電源制御ステップを、
備えたことを特徴とする電源制御システムにおける電源制御プログラム。
【請求項２４】
前記制御機器は、前記第２のネットワークで接続された前記再生機器βに関する情報を記憶する接続機器情報記憶手段をさらに備えた前記表示機器αに対して、自機器の電源制御が可能な前記再生機器に関する情報を問合せ、前記接続機器情報記憶手段に記憶されている情報を取得する接続機器情報取得ステップをさらに備えたことを特徴とする請求項２３記載の電源制御システムにおける電源制御プログラム。
【請求項２５】
前記制御機器は、前記第２のネットワークで接続された前記表示機器αに関する情報を記憶する接続機器情報記憶手段をさらに備えた前記再生機器βに対して、自機器が電源制御を行うことが可能な前記表示機器に関する情報を問合せ、前記接続機器情報記憶手段に記憶されている情報を取得する接続機器情報取得ステップをさらに備えたことを特徴とする請求項２３記載の電源制御システムにおける電源制御プログラム。
【請求項２６】
前記制御機器は、前記第１のネットワークに接続された機器を検出する機器検出ステップをさらに備え、前記機器検出ステップにおいて所定の時間内に前記表示機器αを検出することができなかった場合には、前記電源制御ステップにおいて、前記再生機器βに対して前記表示機器αの電源制御命令を送信することにより、前記表示機器αの電源を制御することを特徴とする請求項２３乃至２５のいずれかに記載の電源制御システムにおける電源制御プログラム。
【請求項２７】
前記制御機器は、前記機器登録ステップにおいて前記表示機器αを予め前記制御対象機器として登録する際に、前記機器検出ステップにおいて前記第１のネットワーク上で前記表示機器αを探索し、前記前記制御対象機器記憶ステップにおいて、前記表示機器αを前記第２のネットワークを介して電源制御が可能な前記再生機器βに関する情報を収集して記憶することを特徴とする請求項２６に記載の電源制御システムにおける電源制御プログラム。
【請求項２８】
前記制御機器は、前記機器検出ステップにおいて前記第１のネットワーク上で前記表示機器αの存在を確認した後、前記再生機器βに対して電源オフあるいは機能オフ命令を送信
し、前記再生機器βの電源をオフあるいは機能をオフする電源オフ命令ステップをさらに備えたことを特徴とする請求項２３乃至２７のいずれかに記載の電源制御システムにおける電源制御プログラム。
【請求項２９】
前記再生機器βは、前記制御機器からの命令の有無に関わらず、前記表示機器αの電源をオンにした後、自機器の電源をオフあるいは機能をオフにすることを特徴とする請求項２３乃至２７のいずれかに記載の電源制御システムにおける電源制御プログラム。
【請求項３０】
請求項２３〜請求項２９記載の電源制御システムにおける電源制御プログラムを記録したことを特徴とする記録媒体。
【発明の詳細な説明】
【技術分野】
【０００１】
本発明は、ネットワーク接続された機器の電源制御に関するものである。
【背景技術】
【０００２】
近年、宅内のＩＰ（Ｉｎｔｅｒｎｅｔ  Ｐｒｏｔｏｃｏｌ）ネットワークで接続された再生機器に録画された番組などを、テレビなどの表示機器に簡単に表示させるための制御方法として、ＤＬＮＡ（Ｄｉｇｉｔａｌ  Ｌｉｖｉｎｇ  Ｎｅｔｗｏｒｋ  Ａｌｌｉａｎｃｅ）などが普及してきている。
【０００３】
ＤＬＮＡにおいては、再生機器と表示機器に加えて、主にモバイル機器などの制御機器を含めた構成が規定されており、制御機器の役割としては、例えば、再生機器から番組を取得して表示するように表示機器を制御することなどがある。これらの表示機器、再生機器および制御機器は、全てＩＰネットワークでつながっている。
【０００４】
再生機器においては、メインプロセッサなどの電源は、録画機能などを活用するためにほぼ常時オン状態であるが、表示機器においては、ユーザが番組などを見るときにだけ電源をオンにすることが多く、通常は電源オフの状態になっている。
【０００５】
このように表示機器の電源がオフの状態においては、制御機器から表示機器を制御することはできないが、再生機器が表示機器の電源制御を行うことが可能な場合、再生機器が表示機器の電源をオンにする方法がある。
【０００６】
以下に、図４を用いて、特許文献１に開示されている従来の電源制御システムについて説明する。なお、図４は、特許文献１に開示されている従来の電源制御システムの構成を示すブロック図である。
【０００７】
図４において、グローバルサーバ（以下、ＧＳと称す）４０１は、例えば、インターネット４０５を介して管理者（クライアント）４００と接続され、管理者４００からの管理情報を受け取り、受け取った管理情報を基に各種情報の制御を行う。
【０００８】
ＧＳ４０１は、管理部４１０とデータ記憶部４１１で構成され、管理部４１０は、いずれも図示しないアラート管理部、コンテンツ情報管理部、コンテンツ制御情報管理部、ローカルサーバ管理部、ＳＴＢ（Ｓｅｔ−Ｔｏｐ  Ｂｏｘ）情報管理部およびログ情報管理部を適宜具備する。
【０００９】
そして、データ記憶部４１１は、いずれも図示しないコンテンツを記憶するコンテンツ記憶部、コンテンツ制御情報を記憶するコンテンツ制御情報記憶部、ローカルサーバ（以下、ＬＳと称す）４０２の管理情報を記憶するローカルサーバ管理情報記憶部、ＳＴＢ４０３の管理情報を記憶するＳＴＢ管理情報記憶部および過去のログ情報を記憶するログファイルを適宜具備する。
【００１０】
ＧＳ４０１におけるコンテンツ情報管理部は、データ記憶部４１１に蓄積されたコンテンツの実ファイル情報であるコンテンツに関する情報を管理するための装置であり、コンテンツ制御情報管理部は、データ記憶部４１１に蓄積されたコンテンツのメタ情報やスケジュール情報であるコンテンツ制御情報を管理するための装置である。
【００１１】
ローカルサーバ管理部は、データ記憶部４１１に蓄積されたＬＳ４０２に関する管理上のメタ情報であるローカルサーバ管理情報を管理する。なお、ＬＳ４０２に関する管理上のメタ情報としては、ＬＳ４０２のＩＤ（ＩＤｅｎｔｉｆｉｃａｔｉｏｎ）、タイトル、備考、設置場所情報、情報登録日時、ローカルサーバ設置日時、設置場所移動履歴、マシンスペック、格納しているコンテンツおよびそのＬＳ４０２からコンテンツを配信する対象のＳＴＢのＩＤ、などがあげられる。
【００１２】
ＳＴＢ情報管理部は、データ記憶部４１１に蓄積されたＳＴＢの管理上のメタ情報であるＳＴＢ管理情報を管理するための装置である。なお、ＳＴＢ４０３の管理上のメタ情報としては、ＳＴＢのＩＤ、タイトル、備考、設置場所情報、情報登録日時、ＳＴＢ設置日時、設置場所移動履歴、ＳＴＢのバージョン、コンテンツ再生スケジュールおよび現在の稼働状態、などがあげられる。
【００１３】
ログ情報管理部は、データ記憶部４１１に蓄積されたコンテンツの送信や、ＳＴＢ４０３とＬＳ４０２の利用状況に関するログ情報であるログファイルを管理する。
【００１４】
ＧＳ４０１は、例えば、物理的には主に運用管理者専用のＷｅｂサイト（Ｗｅｂ  ｓｉｔｅ）が設けられているデータセンタ内に設置され、このＧＳ４０１上の運用管理者専用のＷｅｂサイトから、情報配信システム全体の全ての管理を行うことが好ましい。
【００１５】
また、ＧＳ４０１は、前もって、ディスプレイ（表示端末）４０４、ＳＴＢ４０３およびＬＳ４０２ごとに割り振られたＩＤ情報を基に、配信するコンテンツとコンテンツの制御情報を生成すると共に、ディスプレイ４０４またはＳＴＢ４０３からフィードバックされるログ情報を受信して、適宜端末稼働状況を把握するようにしてもよい。
【００１６】
このように、ＧＳ４０１は、ディスプレイ（表示端末）４０４またはＳＴＢ４０３ごとに割り振られたＩＤ情報（またはＬＳ４０２ごとのＩＤ情報）を用いて、コンテンツ配信を制御するので、表示端末４０４に応じた効果的なプレイリスト再生を行うことができる。また、表示端末４０４またはＳＴＢ４０３ごとのＩＤ情報を含んだログを分析することで、表示端末４０４ごとの稼働状況などを把握することができる。
【００１７】
これにより、ＧＳ４０１は、特定のＩＤを有するＬＳ（イ）に対し、そのＬＳ（イ）が記憶するコンテンツ情報（α）を、あるＩＤを有するＬＳ（ロ）に送信するように指令を出すとともに、そのコンテンツ情報（α）が送信されるＬＳ（ロ）に対して、コンテンツ制御情報やローカルサーバ制御情報といった比較的容量の小さな情報のみを送信することで、適切に表示端末４０４にコンテンツを配信することができるので、インターネット４０５における稼働状況やトラフィックの状況に応じたコンテンツ配信を行うことができることとなる。
【００１８】
一方、ＬＳ４０２は、図４に示すように、管理部４２０とデータ記憶部４２１とで構成され、管理部４２０は、いずれも図示しない、コンテンツ情報管理部、コンテンツ制御情報管理部、ローカルサーバ管理部、ＳＴＢ情報管理部、およびログ情報管理部を適宜具備する。
【００１９】
そして、ＬＳ４０２におけるコンテンツ情報管理部は、例えば、ＧＳ４０１のコンテンツ記憶部に格納され、ＧＳ４０１から送信されたコンテンツ情報に対し、ＳＴＢ４０３が変換して画像や音声等に復号できる形の情報に適宜変換を加えるための装置である。コンテンツ制御情報管理部は、ＧＳ４０１からコンテンツ制御情報を受信し、データ記憶部４２１にコンテンツ制御情報として蓄積して管理する。ＳＴＢ情報管理部は、ＧＳ４０１と通信し、ＳＴＢ管理情報を受取り、データ記憶部４２１にＳＴＢ管理情報として蓄積して管理する。ログ情報管理部は、ＳＴＢ４０３との通信やＳＴＢ４０３の利用状況、などを含んだ全てのログファイルを管理してＧＳ４０１へ転送する。ローカルサーバ管理部は、ＧＳ４０１からの指令や、図示しないポインティングデバイスなどからの入力を受け、情報の受信、演算、制御、記憶、情報の出力など、ＬＳ４０２の動作を制御する。
【００２０】
そして、データ記憶部４２１は、ディスプレイ４０４に表示される映像または音声などのコンテンツを記憶するコンテンツ情報記憶部と、コンテンツの制御情報を記憶するコンテンツ制御情報記憶部と、ＳＴＢ４０３の管理情報を記憶するＳＴＢ管理情報記憶部と、ログ情報を記憶するログファイルと、を適宜含むものがあげられる。
【００２１】
ＬＳ４０２は、ＳＴＢ４０３と同じローカルネットワークに属することが好ましく、ＬＳ４０２から有線ＬＡＮネットワークや無線ＬＡＮネットワークを介してＳＴＢ４０３との通信を行う。ＬＳ４０２は、ＧＳ４０１とＳＴＢ４０３の間の全ての通信の仲介を行う。すなわち、ＬＳ４０２は、コンテンツなどを格納しておく、データストレージ層として機能する。ＬＳ４０２は、ＧＳ４０１から送信されるコンテンツ情報や、スケジュールデータなどの情報を記憶し、制御情報やスケジュールデータにあわせて、コンテンツ情報などをディスプレイ４０４またはＳＴＢ４０３へ送信する。また、ディスプレイ４０４またはＳＴＢ４０３の起動や停止などの指令を送信する。
【００２２】
また、ネットワーク上の再生機器から表示機器を直接起動する方法としては、マジックパケットと呼ばれる特定パケットを繰り返し受信することで電源を起動する、Ｗａｋｅ  Ｏｎ  ＬＡＮが存在する。また、ネットワーク以外では、ＨＤＭＩ−ＣＥＣ（Ｈｉｇｈ  Ｄｅｆｉｎｉｔｉｏｎ  Ｍｕｌｔｉｍｅｄｉａ  Ｉｎｔｅｒｆａｃｅ−Ｃｏｎｓｕｍｅｒ  Ｅｌｅｃｔｒｏｎｉｃｓ  Ｃｏｎｔｒｏｌ）を利用した方法も存在する。ＨＤＭＩ−ＣＥＣは、多くのテレビ（表示機器）や再生機器に搭載されている。
【先行技術文献】
【特許文献】
【００２３】
【特許文献１】特開２００８−９９０４１号公報
【発明の概要】
【発明が解決しようとする課題】
【００２４】
しかしながら、特許文献１に開示されている従来の電源制御方法においては、ＬＳ４０２（再生機器に該当）が、ＳＴＢ４０３（表示機器に該当）の状況とＧＳ４０１（制御機器に該当）からのスケジュールを基に判断して、表示機器（ＳＴＢ４０３）の電源制御を行うものであって、制御機器（ＧＳ４０１）から表示機器（ＳＴＢ４０３）の電源制御を行うことができないという課題を有していた。
【００２５】
また、Ｗａｋｅ  Ｏｎ  ＬＡＮは、有線ネットワークでは有効であるが、無線ネットワークでは利用することができない。したがって、モバイル機器などの制御機器には、有線ネットワーク機能ではなく無線ネットワーク機能を搭載しているものが多く存在するが、このような無線ネットワーク機能を搭載したモバイル制御機器においては、Ｗａｋｅ  Ｏｎ  ＬＡＮを利用することができないという課題を有していた。
【００２６】
また、ＨＤＭＩ−ＣＥＣも有線ケーブルが基本であり、無線を利用する制御機器の場合
には、Ｗｉｒｅｌｅｓｓ  ＨＤというＩＰネットワークとは別のネットワーク機能を搭載する必要があるという課題を有していた。
【００２７】
本発明は、このような課題に鑑みてなされたものであり、制御機器が、有線ネットワーク機能を備えず、無線ネットワーク機能を備えた制御機器であったとしても、制御機器から表示機器の電源制御が行える電源制御システム、並びに電源制御システムを構成する制御機器、表示機器および再生機器を提供することを目的とする。
【課題を解決するための手段】
【００２８】
上記目的を達成するために、本願の第１の発明の電源制御システムは、制御機器と、少なくとも１つの表示機器と、少なくとも１つの再生機器とが第１のネットワークで接続され、少なくとも１つの前記表示機器と少なくとも１つの前記再生機器とが第２のネットワークで接続された電源制御システムであって、前記再生機器は、前記第２のネットワークを介して前記表示機器の電源を制御可能な電源制御手段を備え、前記表示機器は、前記第２のネットワークを介して制御可能な電源手段を備え、前記制御機器は、前記第１のネットワークに接続された前記再生機器に対して電源制御命令を送信する電源制御命令手段と、予め制御対象機器として登録された前記表示機器（表示機器αとする）と、前記表示機器αを前記第２のネットワークを介して電源制御が可能な前記再生機器（再生機器βとする）とを組で記憶する制御対象機器記憶手段を備え、前記制御機器は、前記第１のネットワークを介し、前記再生機器βに対して前記電源制御命令を送信することにより、前記表示機器αの電源を制御することを特徴とするものである。
【００２９】
また、本願の第２の発明の電源制御システムは、本願の第１の発明の電源制御システムにおいて、前記表示機器αは、前記第２のネットワークで接続された前記再生機器βに関する情報を記憶する接続機器情報記憶手段をさらに備え、前記制御機器から自機器の電源制御が可能な前記再生機器βに関する情報の問合せがあった場合、前記制御機器に対して前記接続機器情報記憶手段に記憶されている当該情報を通知することを特徴とするものである。
【００３０】
また、本願の第３の発明の電源制御システムは、本願の第１の発明の電源制御システムにおいて、前記再生機器βは、前記第２のネットワークで接続された前記表示機器αに関する情報を記憶する接続機器情報記憶手段をさらに備え、前記制御機器から電源制御が可能な前記表示機器αに関する情報の問合せがあった場合、前記接続機器情報記憶手段に記憶されている当該情報を通知することを特徴とするものである。
【００３１】
また、本願の第４の発明の電源制御システムは、本願の第１乃至第３のいずれかの発明の電源制御システムにおいて、前記制御機器は、前記第１のネットワークに接続された機器を検出する機器検出手段をさらに備え、前記機器検出手段が所定の時間内に前記表示機器αを検出できない場合には、前記再生機器βに対して、前記表示機器αの電源制御命令を送信することを特徴とするものである。
【００３２】
また、本願の第５の発明の電源制御システムは、本願の第４の発明の電源制御システムにおいて、前記制御機器は、前記表示機器αを予め前記制御対象機器として登録する時に、前記機器検出手段により前記第１のネットワーク上で前記表示機器αを探索し、前記表示機器αを前記第２のネットワークを介して電源制御が可能な前記再生機器に関する情報を収集して前記制御対象機器記憶手段に記憶することを特徴とするものである。
【００３３】
また、本願の第６の発明の電源制御システムは、本願の第１乃至第５のいずれかの発明の電源制御システムにおいて、前記制御機器は、前記第１のネットワーク上で前記表示機器αの存在を確認した後、前記再生機器βに対して電源オフあるいは機能オフ命令を送信し、前記再生機器βは、前記制御機器から電源オフ命令あるいは機能オフ命令を受信すると、自機器の電源をオフあるいは機能をオフすることを特徴とするものである。
【００３４】
また、本願の第７の発明の電源制御システムは、本願の第１乃至第５のいずれかの発明の電源制御システムにおいて、前記再生機器は、前記制御機器からの命令の有無に関わらず、前記表示機器αの電源をオンにした後、自機器の電源をオフあるいは機能をオフにすることを特徴とするものである。
【００３５】
また、本願の第８の発明の制御機器は、少なくとも１つの表示機器と少なくとも１つの再生機器に第１のネットワークで接続され、第２のネットワークで接続された少なくとも１つの前記表示機器と少なくとも１つの前記再生機器とで電源制御システムを構成する制御機器であって、前記第２のネットワークを介して前記表示機器の電源を制御可能な電源制御手段を備えた前記再生機器に対して、前記第１のネットワークを介して電源制御命令を送信する電源制御命令手段と、予め制御対象機器として登録され、前記第２のネットワークを介して制御可能な電源手段を備えた前記表示機器（表示機器αとする）と、前記表示機器αを前記第２のネットワークを介して電源制御が可能な前記再生機器（再生機器βとする）とを組で記憶する制御対象機器記憶手段と、を備え、前記第１のネットワークを介して前記再生機器βに対して前記電源制御命令を送信することにより、前記表示機器αの電源を制御することを特徴とするものである。
【００３６】
また、本願の第９の発明の制御機器は、本願の第８の発明の制御機器において、前記第２のネットワークで接続された前記再生機器βに関する情報を記憶する接続機器情報記憶手段をさらに備えた前記表示機器αに対して、自機器の電源制御が可能な前記再生機器βに関する情報を問合せ、前記接続機器情報記憶手段に記憶されている当該情報を取得することを特徴とするものである。
【００３７】
また、本願の第１０の発明の制御機器は、本願の第８の発明の制御機器において、前記第２のネットワークで接続された前記表示機器αに関する情報を記憶する接続機器情報記憶手段をさらに備えた前記再生機器βに対して、自機器の電源制御が可能な前記表示機器αに関する情報を問合せ、前記接続機器情報記憶手段に記憶されている当該情報を取得することを特徴とするものである。
【００３８】
また、本願の第１１の発明の制御機器は、本願の第８乃至第１０のいずれかの発明の制御機器において、前記第１のネットワークに接続された機器を検出する機器検出手段をさらに備え、前記機器検出手段が所定の時間内に前記表示機器αを検出できない場合には、前記再生機器βに対して、前記表示機器αの電源制御命令を送信することを特徴とするものである。
【００３９】
また、本願の第１２の発明の制御機器は、本願の第１１の発明の制御機器において、前記表示機器αを予め前記制御対象機器として登録する時に、前記機器検出手段により前記第１のネットワーク上で前記表示機器αを探索し、前記表示機器αを前記第２のネットワークを介して電源制御が可能な前記再生機器に関する情報を収集して前記制御対象機器記憶手段に記憶することを特徴とするものである。
【００４０】
また、本願の第１３の発明の制御機器は、本願の第８乃至第１２のいずれかの発明の制御機器において、前記第１のネットワーク上で前記表示機器αの存在を確認した後、前記再生機器βに対して電源オフ命令あるいは機能オフ命令を送信し、前記再生機器βの電源をオフあるいは機能をオフすることを特徴とするものである。
【００４１】
また、本願の第１４の発明の再生機器は、請求項８〜１３記載の前記制御機器から前記第１のネットワークを介して指示を受け取り、前記制御機器から受け取った指示に基づき、前記第２のネットワークを介して前記表示機器の電源制御を行うことが可能であることを特徴とするものである。
【００４２】
また、本願の第１５の発明の表示機器は、請求項８〜１３記載の前記制御機器から前記第１のネットワークを介して指示を受け取った前記再生機器により、前記制御機器から受け取った指示に基づいて前記第２のネットワークを介して電源の制御を受けることが可能であることを特徴とするものである。
【００４３】
また、本願の第１６の発明の電源制御システムにおける電源制御方法は、制御機器と、少なくとも１つの表示機器と、少なくとも１つの再生機器とが第１のネットワークで接続され、少なくとも１つの前記表示機器と少なくとも１つの前記再生機器とが第２のネットワークで接続された電源制御システムにおける電源制御方法であって、前記制御機器は、
予め制御対象機器として、前記第２のネットワークを介して制御可能な電源手段を備えた前記表示機器（表示機器αとする）を登録する機器登録ステップと、前記機器登録ステップにおいて登録された前記表示機器αと、前記第２のネットワークを介して前記表示機器αの電源を制御可能な電源制御手段を備えた前記再生機器（再生機器βとする）とを組で記憶する制御対象機器記憶ステップと、前記第１のネットワークを介し、前記機器記憶ステップにおいて記憶された前記再生機器βに対して電源制御命令を送信することにより、前記表示機器αの電源を制御する電源制御ステップを、備えたことを特徴とするものである。
【００４４】
また、本願の第１７の発明の電源制御システムにおける電源制御方法は、本願の第１６の発明の電源制御システムにおける電源制御方法において、前記制御機器は、前記第２のネットワークで接続された前記再生機器βに関する情報を記憶する接続機器情報記憶手段をさらに備えた前記表示機器αに対して、自機器の電源制御が可能な前記再生機器に関する情報を問合せ、前記接続機器情報記憶手段に記憶されている情報を取得する接続機器情報取得ステップをさらに備えたことを特徴とするものである。
【００４５】
また、本願の第１８の発明の電源制御システムにおける電源制御方法は、本願の第１６の発明の電源制御システムにおける電源制御方法において、前記制御機器は、前記第２のネットワークで接続された前記表示機器αに関する情報を記憶する接続機器情報記憶手段をさらに備えた前記再生機器βに対して、自機器が電源制御を行うことが可能な前記表示機器に関する情報を問合せ、前記接続機器情報記憶手段に記憶されている情報を取得する接続機器情報取得ステップをさらに備えたことを特徴とするものである。
【００４６】
また、本願の第１９の発明の電源制御システムにおける電源制御方法は、本願の第１６乃至第１８のいずれかの発明の電源制御システムにおける電源制御方法において、前記制御機器は、前記第１のネットワークに接続された機器を検出する機器検出ステップをさらに備え、前記機器検出ステップにおいて所定の時間内に前記表示機器αを検出することができなかった場合には、前記電源制御ステップにおいて、前記再生機器βに対して前記表示機器αの電源制御命令を送信することにより、前記表示機器αの電源を制御することを特徴とするものである。
【００４７】
また、本願の第２０の発明の電源制御システムにおける電源制御方法は、本願の第１９の発明の電源制御システムにおける電源制御方法において、前記制御機器は、前記機器登録ステップにおいて前記表示機器αを予め前記制御対象機器として登録する際に、前記機器検出ステップにおいて前記第１のネットワーク上で前記表示機器αを探索し、前記制御対象機器記憶ステップにおいて、前記表示機器αを前記第２のネットワークを介して電源制御が可能な前記再生機器βに関する情報を収集して記憶することを特徴とするものである。
【００４８】
また、本願の第２１の発明の電源制御システムにおける電源制御方法は、本願の第１６乃至第２０のいずれかの発明の電源制御システムにおける電源制御方法において、前記制御機器は、前記機器検出ステップにおいて前記第１のネットワーク上で前記表示機器αの存在を確認した後、前記再生機器βに対して電源オフ命令あるいは機能オフ命令を送信し、前記再生機器βの電源をオフあるいは機能をオフする電源オフ命令ステップをさらに備えたことを特徴とするものである。
【００４９】
また、本願の第２２の発明の電源制御システムにおける電源制御方法は、本願の第１６乃至第２０のいずれかの発明の電源制御システムにおける電源制御方法において、前記再生機器βは、前記制御機器からの命令の有無に関わらず、前記表示機器αの電源をオンにした後、自機器の電源をオフあるいは機能をオフにすることを特徴とするものである。
【００５０】
また、本願の第２３の発明の電源制御システムにおける電源制御プログラムは、制御機器と、少なくとも１つの表示機器と、少なくとも１つの再生機器とが第１のネットワークで接続され、少なくとも１つの前記表示機器と少なくとも１つの前記再生機器とが第２のネットワークで接続された電源制御システムにおける電源制御プログラムであって、前記制御機器は、予め制御対象機器として、前記第２のネットワークを介して制御可能な電源手段を備えた前記表示機器（表示機器αとする）を登録する機器登録ステップと、前記機器登録ステップにおいて登録された前記表示機器αと、前記第２のネットワークを介して前記表示機器αの電源を制御可能な電源制御手段を備えた前記再生機器（再生機器βとする）とを組で記憶する制御対象機器記憶ステップと、前記第１のネットワークを介し、前記機器記憶ステップにおいて記憶された前記再生機器βに対して電源制御命令を送信することにより、前記表示機器αの電源を制御する電源制御ステップを、備えたことを特徴とするものである。
【００５１】
また、本願の第２４の発明の電源制御システムにおける電源制御プログラムは、本願の第２３の発明の電源制御システムにおける電源制御プログラムにおいて、前記制御機器は、前記第２のネットワークで接続された前記再生機器βに関する情報を記憶する接続機器情報記憶手段をさらに備えた前記表示機器αに対して、自機器の電源制御が可能な前記再生機器に関する情報を問合せ、前記接続機器情報記憶手段に記憶されている情報を取得する接続機器情報取得ステップをさらに備えたことを特徴とするものである。
【００５２】
また、本願の第２５の発明の電源制御システムにおける電源制御プログラムは、本願の第２３の発明の電源制御システムにおける電源制御プログラムにおいて、前記制御機器は、前記第２のネットワークで接続された前記表示機器αに関する情報を記憶する接続機器情報記憶手段をさらに備えた前記再生機器βに対して、自機器が電源制御を行うことが可能な前記表示機器に関する情報を問合せ、前記接続機器情報記憶手段に記憶されている情報を取得する接続機器情報取得ステップをさらに備えたことを特徴とするものである。
【００５３】
また、本願の第２６の発明の電源制御システムにおける電源制御プログラムは、本願の第２３乃至第２５のいずれかの発明の電源制御システムにおける電源制御プログラムにおいて、前記制御機器は、前記第１のネットワークに接続された機器を検出する機器検出ステップをさらに備え、前記機器検出ステップにおいて所定の時間内に前記表示機器αを検出することができなかった場合には、前記電源制御ステップにおいて、前記再生機器βに対して前記表示機器αの電源制御命令を送信することにより、前記表示機器αの電源を制御することを特徴とするものである。
【００５４】
また、本願の第２７の発明の電源制御システムにおける電源制御プログラムは、本願の第２６の発明の電源制御システムにおける電源制御プログラムにおいて、前記制御機器は、前記機器登録ステップにおいて前記表示機器αを予め前記制御対象機器として登録する際に、前記機器検出ステップにおいて前記第１のネットワーク上で前記表示機器αを探索し、前記制御対象機器記憶ステップにおいて、前記表示機器αを前記第２のネットワークを介して電源制御が可能な前記再生機器βに関する情報を収集して記憶することを特徴とするものである。
【００５５】
また、本願の第２８の発明の電源制御システムにおける電源制御プログラムは、本願の第２３乃至第２７のいずれかの発明の電源制御システムにおける電源制御プログラムにおいて、前記制御機器は、前記機器検出ステップにおいて前記第１のネットワーク上で前記表示機器αの存在を確認した後、前記再生機器βに対して電源オフあるいは機能オフ命令を送信し、前記再生機器βの電源をオフあるいは機能をオフする電源オフ命令ステップをさらに備えたことを特徴とするものである。
【００５６】
また、本願の第２９の発明の電源制御システムにおける電源制御プログラムは、本願の第２３乃至第２７のいずれかの発明の電源制御システムにおける電源制御プログラムにおいて、前記再生機器βは、前記制御機器からの命令の有無に関わらず、前記表示機器αの電源をオンにした後、自機器の電源をオフあるいは機能をオフにすることを特徴とするものである。
【００５７】
また、本願の第３０の発明の記録媒体は、本願の第２３乃至第２９の電源制御システムにおける電源制御プログラムを記録していることを特徴とするものである。
【発明の効果】
【００５８】
本発明の電源制御システムによれば、制御機器が、表示機器をネットワーク経由で制御する際に、表示機器の電源がオフ状態にあって操作できない場合には、表示機器がＨＤＭＩ−ＣＥＣなどで接続されている再生機器に対し、ネットワーク経由で表示機器の電源をオンするように指示することにより、表示機器の電源をオンすることが可能となるので、制御機器は、有線ネットワーク機能を備えず無線ネットワーク機能を備えた制御機器であったとしても、表示機器の電源がオン状態であるかオフ状態であるかの如何にかかわらず、表示機器を制御することが可能となる。
【図面の簡単な説明】
【００５９】
【図１】本発明の実施の形態１に係る電源制御システムの構成を示すブロック図
【図２】本発明の実施の形態１に係る電源制御システムにおける機器間の制御信号の流れを示す図
【図３】本発明の実施の形態１における制御機器が表示機器を制御対象機器として登録するところから電源制御および接続するまでの処理の流れを示すフローチャート
【図４】特許文献１に開示されている従来の電源制御システムの構成を示すブロック図
【発明を実施するための形態】
【００６０】
以下に、本発明を実施するための形態について、図面を参照しながら説明する。
【００６１】
（実施の形態１）
図１は、本発明の実施の形態１に係る電源制御システムの構成を示すブロック図である。
【００６２】
図１において、本発明の実施の形態１に係る電源制御システムは、第１のネットワークであるＤＬＮＡなどの制御機能を備えた宅内のＩＰネットワーク１３０と、ＩＰネットワーク１３０で接続された制御機器１００、再生機器１１０、再生機器（Ａ）１１０Ａおよび表示機器１２０を備え、さらに、再生機器１１０と表示機器１２０は、第２のネットワークであるＨＤＭＩ−ＣＥＣ信号線１４０で接続された構成となっている。
【００６３】
制御機器１００は、ＩＰネットワーク１３０に接続するインタフェース機能を有するＩＰネットワーク接続手段１０１と、ＩＰネットワーク１３０に接続する機器の電源制御コマンドを発行する電源制御命令手段１０２と、電源制御を行いたい表示機器１２０と該表示機器１２０を電源制御可能な再生機器１１０の組み合わせを記憶する制御対象機器記憶手段１０３と、ＩＰネットワーク１３０に接続された機器の存在を検出する機器検出手段１０４と、機器検出手段１０４で検出された機器に対して映像再生などのコマンドを発行するコマンド発行手段１０５とで構成されている。
【００６４】
再生機器１１０は、ＩＰネットワーク１３０に接続するインタフェース機能を有するＩＰネットワーク接続手段１１１と、制御機器１００や表示機器１２０からのコマンドを受信して処理するコマンド処理手段１１２と、制御機器１００の電源制御命令手段１０２から発行された表示機器１２０の電源制御を実行する接続機器電源制御手段１１３と、第２のネットワークであるＨＤＭＩ−ＣＥＣ信号線１４０を制御するＨＤＭＩ−ＣＥＣ接続手段１１４と、コンテンツの記録再生を行うコンテンツ記録再生手段１１５とで構成されている。
【００６５】
表示機器１２０は、ＩＰネットワーク１３０に接続するインタフェース機能を有するＩＰネットワーク接続手段１２１と、制御機器１００や再生機器１１０からのコマンドを受信して処理するコマンド処理手段１２２と、電源手段１２３と、第２のネットワークであるＨＤＭＩ−ＣＥＣ信号線１４０を制御するＨＤＭＩ−ＣＥＣ接続手段１２４と、再生画像などを表示する表示手段１２５と、ＨＤＭＩ−ＣＥＣ信号線１４０で接続された再生機器１１０などの情報を記憶して制御機器１００などに送信する接続機器情報記憶手段１２６とで構成されている。
【００６６】
また、再生機器（Ａ）１１０Ａは、再生機器１１０と同等の構成を備え、表示機器１２０に対してＩＰネットワーク１３０経由で録画コンテンツを送信する装置である。
【００６７】
なお、表示機器１２０が再生させるコンテンツの格納先が再生機器（Ａ）１１０Ａの場合には、再生機器１１０においては、コンテンツ記録再生手段１１５を必ずしも具備する必要はない。
【００６８】
また、ここでは、第２のネットワークとしてＨＤＭＩ−ＣＥＣを利用する場合を例に挙げて説明するが、電源制御が可能な方法であれば特にＨＤＭＩ−ＣＥＣに限定するものではない。
【００６９】
次に、図２を用いて、本発明の実施の形態１に係る電源制御システムにおける機器間の制御信号の流れについて説明する。なお、図２は、本発明の実施の形態１に係る電源制御システムにおける機器間の制御信号の流れを示す図である。
【００７０】
図２において、制御機器１００は、初期設定時に、制御対象機器（表示機器）の登録を行う。その際、制御機器１００は表示機器１２０に対して、ＨＤＭＩ−ＣＥＣ信号線１４０で接続されている機器（組機器）の存在を確認する（Ｓ２０１）。
【００７１】
表示機器１２０は、制御機器１００から組機器の存在を確認されると、接続機器情報記憶手段１２６に組機器として記憶されている機器があれば、該当機器（ここでは再生機器１１０が該当機器に相当）の情報を、ＩＰネットワーク接続手段１２１を介して制御機器１００に送信する（Ｓ２０２）。ここまでが電源制御を行うための事前処理である。
【００７２】
制御機器１００が表示機器１２０を制御して再生機器（Ａ）１１０Ａからコンテンツ再生を行わせる場合、まず、機器検出手段１０４が、ＩＰネットワーク接続手段１０１からＩＰネットワーク１３０経由で表示機器１２０に対して存在を確認するコマンドを送信する（Ｓ２０３）。
【００７３】
制御機器１００は、機器検出手段１０４が表示機器１２０に対して存在を確認するコマンドを送信した後、表示機器１２０から所定時間内に応答がない場合には、制御対象機器記憶手段１０３から表示機器１２０に関連付けられている組機器である再生機器１１０を読み出し、読み出した再生機器１１０に対して、電源制御命令手段１０２からＩＰネットワーク接続手段１０１およびＩＰネットワーク１３０を介して表示機器１２０の電源起動を要求する（Ｓ２０４）。
【００７４】
再生機器１１０は、ステップＳ２０４において制御機器１００から送られたコマンドを、ＩＰネットワーク接続手段１１１を介してコマンド処理手段１１２で受信して処理し、表示機器１２０の電源起動要求を確認すると、接続機器電源制御手段１１３が、ＨＤＭＩ−ＣＥＣ接続手段１１４からＨＤＭＩ−ＣＥＣ信号線１４０、および表示機器１２０のＨＤＭＩ−ＣＥＣ接続手段１２４を介して電源手段１２３を制御し、表示機器１２０の電源を起動させる（Ｓ２０５）。
【００７５】
再生機器１１０は、表示機器１２０の電源が起動されると、ＨＤＭＩ−ＣＥＣ信号線１４０を介して、ＨＰＤ（Ｈｏｔ  Ｐｌｕｇ  Ｄｅｔｅｃｔ）信号などで表示機器１２０の電源起動を確認するとともに（Ｓ２０６）、制御機器１００に対して、ＩＰネットワーク１３０を介して表示機器１２０が電源起動したことを通知する（Ｓ２０７）。
【００７６】
制御機器１００は、表示機器１２０が電源起動したことを確認すると、ＩＰネットワーク１３０経由で表示機器１２０に対して、表示機器１２０の存在確認を再度行い（Ｓ２０８）、表示機器１２０から応答があれば（Ｓ２０９）、表示機器１２０に対して、本来の目的である再生機器（Ａ）１１０Ａへのコンテンツ再生要求を発行するように命令する（Ｓ２１０）。
【００７７】
表示機器１２０は、ＩＰネットワーク接続手段１２１を介して制御機器１００からのコマンドを受け取ると、コマンド処理手段１２２でその受け取ったコマンドを処理した後、再生機器（Ａ）１１０Ａに対して、ＩＰネットワーク１３０を介してコンテンツ再生要求を行い（Ｓ２１１）、表示機器１２０からコンテンツ再生要求を受け取った再生機器（Ａ）１１０Ａは、表示機器１２０に対して、ＩＰネットワーク１３０を介して再生コンテンツを送信する（Ｓ２１２）。
【００７８】
なお、コンテンツ再生要求を受け取る再生機器（Ａ）１１０Ａは、表示機器１２０と組機器として関連付けられている再生機器１１０と同一であっても構わない。
【００７９】
また、ステップＳ２０３において、制御機器１００が表示機器１２０に対して存在を確認するコマンドを送信した際に、表示機器１２０から所定時間内に応答が得られた場合の機器間の制御信号の流れは、ステップＳ２０４〜ステップＳ２０９がスキップされ、ステップＳ２０３からステップＳ２１０に移行することになる。
【００８０】
次に、図３を用いて、制御機器１００が表示機器１２０を制御対象機器として登録するところから電源制御および接続するまでの処理の流れについて説明する。なお、図３は、
本発明の実施の形態１における制御機器が表示機器を制御対象機器として登録するところから電源制御および接続するまでの処理の流れを示すフローチャートである。
【００８１】
図３において、制御機器１００は、ＩＰネットワーク１３０において制御対象となる機器を検索し、応答があった表示機器１２０を登録する（Ｓ３０１）。このとき、表示機器１２０にＨＤＭＩ−ＣＥＣで接続されている再生機器が存在するか否かを表示機器１２０に確認する（Ｓ３０２）。この場合の確認方法としては、ユーザが配線をチェックして登録してもよいし、ＩＰネットワーク１３０上にチェック用コマンドを設けてもよく、その確認方法については特に規定しない。
【００８２】
ステップＳ３０２において、ＨＤＭＩ−ＣＥＣで接続された再生機器が存在することが確認された場合（ステップＳ３０２においてＹＥＳの場合）は、制御機器１００は、再生機器１１０の接続情報を要求し（Ｓ３０３）、得られた再生機器１１０の接続情報を制御対象機器記憶手段１０３に記憶する（Ｓ３０４）。なお、再生機器１１０の接続情報としては、ＩＰアドレスや機器ＩＤなどがあるが、再生機器１１０をネットワーク（ここでは、ＩＰネットワーク１３０）上で一意に特定できる情報であれば特に規定しない。また、接続情報の入手方法に関しても、ＩＰネットワーク１３０やＨＤＭＩ−ＣＥＣ信号線１４０による第１および第２のネットワークから得てもよいし、ユーザが登録してもよく、接続情報の入手方法については特に規定しない。
【００８３】
制御機器１００は、ステップＳ３０４において制御対象機器記憶手段１０３に再生機器１１０の接続情報を記憶した後、ユーザから表示機器１２０への接続要求が入力されると（Ｓ３０５）、ＩＰネットワーク１３０を介して表示機器１２０を検索して接続を試みる（Ｓ３０６）。
【００８４】
一方、ステップＳ３０２において、表示機器１２０にＨＤＭＩ−ＣＥＣで接続された再生機器が存在しないことが確認された場合（ステップＳ３０２においてＮＯの場合）は、ステップＳ３０５に移行する。
【００８５】
ステップＳ３０６において表示機器１２０を検索して接続処理を開始した後、表示機器１２０が未検出であるか否かを確認する（Ｓ３０７）。
【００８６】
ステップＳ３０７において、制御機器１００は、表示機器１２０が検出されたことが確認された場合（ステップＳ３０７においてＮＯの場合）には、電源制御を行う必要がなく表示機器１２０に接続し（Ｓ３１１）、表示機器１２０が検出されないことが確認された場合（ステップＳ３０７においてＹＥＳの場合）には、制御対象機器記憶手段１０３をチェックして、表示機器１２０にＨＤＭＩ−ＣＥＣ接続再生機器が存在するか否かを確認する（Ｓ３０８）。
【００８７】
ステップＳ３０８において、制御機器１００は、表示機器１２０にＨＤＭＩ−ＣＥＣ接続再生機器が存在しないことが確認された場合（ステップＳ３０８においてＮＯの場合）には、接続が失敗したとして表示機器１２０への接続処理を終了し（Ｓ３１２）、表示機器１２０にＨＤＭＩ−ＣＥＣ接続再生機器（ここでは、再生機器１１０）が存在することが確認された場合（ステップＳ３０８においてＹＥＳの場合）には、再生機器１１０がＩＰネットワーク１３０を介して検出できるか否かを確認する（Ｓ３０９）。
【００８８】
ステップＳ３０９において、制御機器１００は、再生機器１１０が検出できないことを確認した場合（ステップＳ３０９においてＮＯの場合）には、接続が失敗したとして表示機器１２０への接続処理を終了し（Ｓ３１２）、再生機器１１０が検出できることを確認した場合（ステップＳ３０９においてＹＥＳの場合）には、再生機器１１０に対して、表示機器１２０の電源起動要求を発行し（Ｓ３１０）、再生機器１１０により表示機器１２０の電源を起動させた後、表示機器１２０に接続する（Ｓ３１１）。
【００８９】
なお、本発明の実施の形態１においては、制御機器１００が、電源制御の組となる機器の情報を表示機器１２０に問い合わせ、表示機器１２０が、制御機器１００に対して、接続機器情報記憶手段１２６から読み出した組機器に関する情報を、ＩＰネットワーク接続手段１２１経由で送信する場合を例に挙げて説明したが、再生機器１１０が電源制御可能な接続機器の情報を保持しておれば、制御機器１００が、再生機器１１０に対して、電源制御に関する接続機器の情報を問い合わせても同様の効果が得られる。ただしこの場合には、再生機器１１０は、表示機器１２０が備える接続機器情報記憶手段１２６と同等の機能ブロックを備える必要がある。
【００９０】
つまり、本発明の実施の形態１においては、特定の機器（実施の形態１では、表示機器１２０）から電源制御情報を得る場合を例に挙げて説明したが、制御機器１００は、制御あるいは被制御に関わらず、電源制御に関する接続機器に関する情報を、第１ネットワークであるＩＰネットワーク１３０に接続されている少なくとも１つの機器に問い合わせて、得られた情報を制御対象機器記憶手段１０３に記憶することで、電源制御可能な機器の情報を得ることが可能となる。
【００９１】
また、表示機器１２０の電源が起動された後、再生機器１１０が機能待機状態、あるいは電源オフ状態になることで、消費電力を抑えることが可能となるので、表示機器１２０の電源オンが検出された後（図２のステップＳ２０６以降）、制御機器１００が、コマンド発行手段１０５から再生機器１１０に対して、機能オフコマンドあるいは電源オフコマンドを発行して、再生機器１１０を機能オフ状態あるいは電源オフ状態に制御してもよいし、再生機器１１０自身が、機能オフ状態あるいは電源オフ状態になるように自装置を制御してもよい。ただし、表示機器１２０のコンテンツ再生要求先である再生機器（Ａ）１１０Ａが再生機器１１０と同一の場合はこの限りではない。なお、ここで機能オフ状態とは、ＨＤＭＩ−ＣＥＣやＩＰネットワーク通信機能など最低限の機能はオン状態であるが、それ以外の機能はオフ状態となっていることを意味する。
【００９２】
また、本発明の実施の形態１においては、制御機器１００は、表示機器１２０が検出できない場合に、再生機器１１０に対して表示機器１２０の電源起動要求を行う場合を例に挙げて説明したが、これに限るものではなく、制御機器１００は、表示機器１２０へのアクセス時に、再生機器１１０に対して電源制御要求を行ってもよい。この場合、再生機器１１０は、制御機器１００から表示機器１２０の電源起動要求があった場合、ＨＰＤなどをチェックして、表示機器１２０の電源がオフの場合にのみ、電源制御を行うことで同等の効果が得られる。
【００９３】
また、本発明は、本発明の実施の形態１における各手段を備える各機器、および各機器で構成される電源制御システムとして提供することができるばかりでなく、電源制御システムを構成する機器が備える各手段を各ステップとする電源制御システムにおける電源制御方法、およびその電源制御システムにおける電源制御方法をコンピュータに実行させる電源制御システムにおける電源制御プログラムを提供することも可能である。そして、その電源制御システムにおける電源制御プログラムは、ＣＤ−ＲＯＭ（Ｃｏｍｐａｃｔ  Ｄｉｓｃ−Ｒｅａｄ  Ｏｎｌｙ  Ｍｅｍｏｒｙ）などの記録媒体やインターネットを介して流通させることができる。
【産業上の利用可能性】
【００９４】
本発明に係る電源制御システムおよび電源制御システムにおける電源制御方法は、ＤＬＮＡで接続されたテレビなどの表示機器の電源を、モバイル機器などの制御機器により制御することが可能であり、宅内ＩＰネットワーク上のＡＶ機器の制御などに有用である。
【符号の説明】
【００９５】
１００  制御機器
１０１  ＩＰネットワーク接続手段
１０２  電源制御命令手段
１０３  制御対象機器記憶手段
１０４  機器検出手段
１０５  コマンド発行手段
１１０  再生機器
１１０Ａ  再生機器（Ａ）
１１１  ＩＰネットワーク接続手段
１１２  コマンド処理手段
１１３  接続機器電源制御手段
１１４  ＨＤＭＩ−ＣＥＣ接続手段
１１５  コンテンツ記録再生手段
１２０  表示機器
１２１  ＩＰネットワーク接続手段
１２２  コマンド処理手段
１２３  電源手段
１２４  ＨＤＭＩ−ＣＥＣ接続手段
１２５  表示手段
１２６  接続機器情報記憶手段
１４０  ＨＤＭＩ−ＣＥＣ信号線
４００  管理者
４０１  グローバルサーバ
４０２  ローカルサーバ
４０３  ＳＴＢ
４０４  ディスプレイ
４０５  インターネット
４１０  管理部
４１１  データ記憶部
４２０  管理部
４２１  データ記憶部
【図１】
2011199568.tif 000003
【図２】
2011199568.tif 000004
【図３】
2011199568.tif 000005
【図４】
2011199568.tif 000006